(57)【特許請求の範囲】
【請求項１】
試料が収容されるウェルが形成されたウェルユニットであって、
金属線を２つの樹脂ブロックで挟着し、この金属線を切断するように前記樹脂ブロックを切削してウェルを形成し、該ウェルの表面に露出した前記金属線の断面を電極とする
ことを特徴とするウェルユニット。
【請求項２】
前記電極の直径は、２〜５００μｍである
ことを特徴とする請求項１に記載のウェルユニット。
【請求項３】
前記電極は、前記ウェルの底部から、１０〜２０００μｍ離間して備えられる
ことを特徴とする請求項１または請求項２に記載のウェルユニット。
【請求項４】
前記ウェルは、逆円錐形状、円筒形状、半球形状、直方体状、立方体状のいずれかの形状に形成される
ことを特徴とする請求項１から請求項３のいずれか１項に記載のウェルユニット。
【請求項５】
前記樹脂ブロックは、熱可塑性樹脂または熱硬化性樹脂からなる
ことを特徴とする請求項１から請求項４のいずれか１項に記載のウェルユニット。
【請求項６】
前記樹脂ブロックに、ガラス繊維、カーボン繊維、グラファイト、マイカのいずれかからなる強化材を添加する
ことを特徴とする請求項５に記載のウェルユニット。
【請求項７】
試料が収容されるウェルが形成されたウェルユニットであって、金属線を２つの樹脂ブロックで挟着し、この金属線を切断するように前記樹脂ブロックを切削してウェルを形成し、該ウェルの表面に露出した前記金属線の断面を電極とするウェルユニットを、基板に１個または複数個備えた
ことを特徴とする検体セル。
【発明の詳細な説明】
【技術分野】
【０００１】
本発明は、哺乳動物胚や電気化学研究分野で用いられる電解液等の試料を保持し、この試料の電気化学的挙動を計測するウェルユニット、このウェルユニットを備えた検体セル、及びこのウェルユニットを用いて試料の評価等を行う電気化学的分析方法に関するものである。
【背景技術】
【０００２】
畜産分野において、近年家畜繁殖及び体外培養技術の進歩により牛などの家畜における体内及び体外胚移植を行う研究機関や普及実施機関が増加し、市場に出回る胚移植家畜の生産頭数は増加の一途にある。１９９９年の国内でのウシ胚移植の受胎率は、体内新鮮胚移植で５１％、体内胚移植で４５％、体外胚移植では３６％となっている。現在、哺乳動物胚の品質判定は、主に形態観察に依存している。実際に、形態観察に基づく胚の品質ランク判定は、広く適用され、ルーチン化されている。しかし、形態的判定により低品質と評価された胚が受胎し、高品質と判定された胚が受胎しない例が報告されている。また、判定者の主観により判定結果が一致しない問題も指摘されている。このように、胚移植による受胎率は、人工授精に比べてまだ十分とはいえず、移植や凍結保存に適した胚や核移植されたクローン胚の選択において、信頼性の高い診断方法が要望されている。
【０００３】
生殖医療分野において、高い妊娠率を維持するために複数個（国内では最大３個まで）の胚を移植するため周産期管理が困難な多胎妊娠が急増し、産婦人科医のみではなく新生児集中治療室の医師にとっても大きな負担となっている。よって、多胎妊娠の回避、母体への身体的負担低減、未熟児治療などによる医療費及び医療従事者の労働負担低減の観点から、信頼性の高い移植胚の診断法が求められている。
【０００４】
微小組織移植分野においては、膵島移植は微小組織移植という最先端の医療技術の中でも、最も社会的なインパクトが大きく、患者に優しい低侵襲糖尿病根治治療法である。膵島移植はこれまで主流であった膵臓移植に比較して、安全・簡便・低侵襲などの多くの利点を有しているため、北米や欧州の一部では、既に保険適応となっている。しかし、課題としては、移植効果の予見が極めて困難であることや、効果を発揮した場合でも現状では一人の患者の治癒に複数のドナーを要するという問題点を有しているため、ドナー不足が深刻な日本では一般治療に至っていない。この課題の解決には、膵島の活性・機能を迅速かつ的確に診断できるシステムが不可欠である。
【０００５】
また、電気化学研究分野においては、極少量の有機合成生成物や揮発性電解質・燃料電池・リチウム電池等の材料開発において、数μＬから数百μＬの極少量を材料の電気化学的性状把握のための電気化学ウェルが求められて いる。例えば、高価な試料や極微量しか合成できない試料の電気化学分析を行う場合には、試料を保持するとともに保持された試料の電気化学分析を行う電極を備える必要がある。試料が微量であると、電気化学的分析を行うため電極の面積も微小となり、所定の電極面積を有する電極を試料中に備える技術が求められている。
【０００６】
ここで、従来技術に係る電気化学的測定方法について説明する。例えば、従来技術に係る哺乳動物胚等の無侵襲的品質評価方法として、哺乳動物胚の近傍に配置した微小電極で溶存酸素の還元電流を測定し、哺乳動物胚近傍の酸素濃度勾配を計測することで、哺乳動物胚の品質評価を行う方法が提案されている（例えば、特許文献１〜５）。哺乳動物胚等の試料は、例えば、ウェル（くぼみ）に保持されて電気化学的測定に供される（例えば、特許文献２）。ウェルが形成されたウェルプレートは生化学や臨床検査等の分野で広く用いられているものであり、容量が数μＬから数ｍＬのウェルが６、２４、９６個形成されたウェルプレートが広く用いられている。このウェルは、試験管あるいはシャーレとして利用されている。
【０００７】
従来技術に係る電気化学的測定方法（例えば、特許文献１）では、まず、図１６に示すように、マイクロマニピュレータ及びマイクロピペットで固定された哺乳動物受精卵２３近傍に、走査型電気化学顕微鏡に備えられたステッピングモータに酸素検出プローブである白金微小電極２４を配置する。そして、白金微小電極２４の電極電位が銀／塩化銀参照電極に対して−０．６Ｖとなるような電位を白金微小電極２４の電位を制御する。白金微小電極２４をこの電位に制御することにより、溶存酸素は還元され還元電流（酸素還元電流）が白金微小電極２４に流れる。次に、白金微小電極２４を自動で上下させ、哺乳動物受精卵２３近傍の酸素濃度勾配、つまり哺乳動物受精卵２３近傍の酸素還元電流ｉ（ｎＡ）とバルク(沖合い)の酸素還元電流ｉ*（ｎＡ）を測定する。哺乳動物受精卵２３近傍酸素濃度（Ｃｓ）とバルクの酸素濃度（Ｃ*＝０．２０９ｍｍｏ１／ｃｍ3）との酸素濃度差（ΔＣｉ）は（１）式で表記される。
【０００８】
ΔＣｉ＝｛（ｉ*−ｉ）／ｉ*｝×Ｃ*  …  （１）
また、哺乳動物受精卵２３の１個あたりの酸素呼吸量Ｆ（ｍｏｌ／ｓ）は（２）式で表記される。ここで、Ｄは酸素拡散係数（Ｄ＝２．１０×１０-5ｃｍ-2ｍｏｌ-1）、ｒsは哺乳動物受精卵２３の半径である。哺乳動物受精卵２３の呼吸量を算出することにより、無侵襲的かつ定量的な哺乳動物受精卵２３の品質評価ができる。
【０００９】
Ｆ＝４π×Ｄ×ｒs×ΔＣ  …  （２）
なお、（２)式から明らかなように、ΔＣによって、酸素消費速度(呼吸量)Ｆの定量化を行うことができるので、ΔＣを酸素消費速度（呼吸量）Ｆの指標として用いることができる。
【先行技術文献】
【特許文献】
【００１０】
【特許文献１】特開２００２−１２２５６８号公報
【特許文献２】特開２００４−１０８９７１号公報
【特許文献３】特開２００４−１０８８６３号公報
【特許文献４】特開２０１０−１２１９４８号公報
【特許文献５】特開２００６−５１２９２５号公報
【非特許文献】
【００１１】
【非特許文献１】Ｔ．Ｓａｉｔｏ，外８名，“Ａｎａｌｙｓｔ”，２００６，１３１，１００６−１０１１
【発明の概要】
【発明が解決しようとする課題】
【００１２】
しかしながら、  図１６に示すように、倒立顕微鏡下で白金微小電極２４を哺乳動物受精卵２３の近傍に配置することは、煩雑で高度な技術を要するため、作業者は哺乳動物受精卵２３を常に取り扱っている研究者に限定されてしまうことが少なくなかった。このため、家畜受精卵移植現場や産婦人科クリニック等での普及の支障となるおそれがあった。
【００１３】
また、白金線を封入したガラス製白金微小電極２４が、哺乳動物受精卵２３を保持した容器の壁面等に当り破損するおそれがあり、白金微小電極２４を哺乳動物受精卵２３近傍に配置するには慎重な作業を要求されるため作業性、効率を損なうおそれがあった。さらに、この白金線を封入したガラス製白金微小電極２４は複雑な製造工程により作成されるもので自動化が困難であるので、生産性を損なうおそれがあった。
【００１４】
そこで、本発明は、作業性良く哺乳動物受精卵や有機合成生成物等の試料の電気化学的特性及び電極触媒活性を計測できるウェルユニット、このウェルユニットを備えた検体セル、及びこのウェルユニットを用いて試料の評価等を行う電気化学的分析方法を提供する   ことを目的としている。
【課題を解決するための手段】
【００１５】
上記目的を達成する本発明のウェルユニットは、樹脂板若しくは樹脂ブロックに、試料が収容されるウェルが形成されたウェルユニットであって、前記ウェルの表面に電極を備えることを特徴としている。すなわち、ウェル表面に予め電極を備えるウェルが形成されたウェルユニットである。
【００１６】
また、上記ウェルユニットに備えられる電極の直径は、２〜５００μｍであることを特徴としている。すなわち、ウェルに備えられる電極の直径を制御してウェル表面に電極を備えることを特徴としている。
【００１７】
また、上記ウェルユニットに備えられる電極は、前記ウェルの底部から、１０〜２０００μｍ離れた位置に備えられることを特徴としている。すなわち、ウェル内周部に備えられる電極の位置を制御してウェル表面に電極を備えることを特徴としている。
【００１８】
また、上記ウェルユニットに形成されるウェルは、逆円錐形状、円筒形状、半球形状、直方体状、立方体状のいずれかに形成される様態を挙げることができる。
【００１９】
また、上記ウェルユニットに備えられる電極は、白金、金、銀、銅、ニッケル、鉄、タングステン、パラジウム、イリジウム、チタン、ステンレス鋼、モリブデン、コバルト、アルミニウム、酸化インジウム、スズ、グラッシーカーボン（ＧＣ）、カーボンペースト（ＣＰ）等、電気化学分野で作用電極として使用される電極材料を用いる様態であることを特徴としている。
【００２０】
また、上記ウェルユニットを構成する樹脂板若しくは樹脂ユニットは、熱可塑性樹脂または熱硬化性樹脂からなることを特徴としている。また、この熱可塑性樹脂または熱硬化性樹脂に、ガラス繊維、カーボン繊維、グラファイト、マイカ等の強化材を添加することで当該樹脂の強度を向上させることを特徴としている。
【００２１】
また、上記ウェルユニットにおいて前記ウェルは、前記熱可塑性樹脂または前記熱硬化性樹脂に金属線を埋設し、この金属線を切断するように前記樹脂を切削することにより形成され、前記金属線の断面が前記電極となる形態であることを特徴としている。
【００２２】
また、上記ウェルユニットにおいて、前記ウェルは、金属線を前記熱可塑性樹脂または前記熱硬化性樹脂からなる２つの樹脂ブロックで挟着し、この金属線を切断するように、前記樹脂ブロックを切削することにより形成され、前記金属線の断面が前記電極となる形態であることを特徴としている。
【００２３】
また、上記目的を達成する本発明の検体セルは、樹脂板若しくは樹脂ブロックに、試料が収容されるウェルが形成され、前記ウェルの表面に電極が備えられたウェルユニットを、基板に１個または複数個備えたことを特徴としている。
【００２４】
また、上記目標を達成する本発明の電気化学的分析方法は、試料をウェルに収容し、前記試料の電気化学的性質を測定する電気化学的分析方法であって、電位制御手段が、前記ウェルの表面に備えられる電極の電位を制御する電位制御ステップと、電流測定手段が、前記電位制御ステップによって制御された電極を流れる電流を測定する電流測定ステップと、を有することを特徴としている。すなわち、ウェルに試料を導入して電極の電位を制御するだけで電気化学的分析を行うことを特徴としている。また、上記電気化学的分析方法の測定対象が細胞であることを特徴としている。
【発明の効果】
【００２５】
以上の発明によれば、電気化学的特性の把握または電気化学的測定を行うために試料が保持されるウェルが形成されたウェルユニット及びこのウェルユニットを備えた検体セルの生産性を向上させることに貢献することができる。また、このウェルに備えられた試料の電気化学的特性の把握または電気化学的測定を簡便に行うことに貢献することができる。
【図面の簡単な説明】
【００２６】
【図１】（ａ）本発明の実施形態に係るウェルユニットの斜視図、（ｂ）本発明の実施形態に係るウェルユニットの側面図、（ｃ）本発明の実施形態に係るウェルユニットのウェル部拡大図（１００倍）、（ｄ）本発明の実施形態に係るウェルユニットのウェル部拡大図（５００倍）である。
【図２】本発明の実施形態に係るウェルユニットの製造工程例を示すフロー図である。
【図３】本発明の実施形態に係るウェルユニットに備えられる電極と、従来技術に係る電極でのサイクリックボルタモグラムである。
【図４】本発明の実施形態に係るウェルユニットに備えられる電極と、従来技術に係る電極での定電位電流測定の測定結果である。
【図５】本発明の実施形態に係るウェルユニットに形成されるウェルの断面形状と、電極位置を示す画像測定器による測定結果である。
【図６】本発明の実施形態に係るウェルユニットに備えられる電極とウェルに備えられる試料との位置関係を示す模式図である。
【図７】（ａ）本発明の実施形態に係るねじ切りが形成されたウェルユニットの斜視図、（ｂ）本発明の実施形態に係るねじ切りが形成されたウェルユニットの側面図、（ｃ）本発明の実施形態に係るリード線を備えたウェルユニットの斜視図、（ｄ）本発明の実施形態に係るリード線を備えたウェルユニットの側面図である。
【図８】本発明の実施形態に係る導電性接合剤により電極とリード線を接続したウェルユニット模式図である。
【図９】（ａ）本発明の実施形態に係る電気化学測定装置のシステム構成図、（ｂ）本発明の実施形態に係る検体セルの上面図、（ｃ）本発明の実施形態に係る検体セルの側面図である。
【図１０】本発明の実施形態に係る電気化学測定装置の切替部の構成図である。
【図１１】本発明の実施形態に係る電気化学的分析方法の測定例を示す図である。
【図１２】（ａ）本発明の実施例１に係る電気化学的分析方法における測定結果を示す図、（ｂ）本発明の実施例１に係るウェルユニットに備えられた試料を倒立顕微鏡により観察した図、（ｃ）従来技術に係る電気化学的分析方法における測定結果を示す図である。
【図１３】本発明の実施例１に係る電気化学的分析方法における測定結果と従来技術に係る電気化学的分析方法における測定結果の相関図である。
【図１４】本発明の実施例２に係る電気化学的分析方法における測定結果を示す図である。
【図１５】本発明の実施例３に係る電気化学的分析方法における測定結果を示す図である。
【図１６】従来技術に係る哺乳動物受精卵の近傍に電極を配置した様子を倒立顕微鏡により観察した図である。
【発明を実施するための形態】
【００２７】
本発明は、ウェル（くぼみ）表面に電極が備えられたウェルユニット、このウェルユニットを備える検体セル、及びこのウェルユニットを用いた電気化学的分析方法に関する発明である。
【００２８】
本発明によれば、ウェルに備えられた試料の電気化学的特性の把握や電極触媒活性の評価等の電気化学的測定を簡便に行うことができる。
【００２９】
（ウェルユニット）
本発明の実施形態に係るウェルユニット１は、図１（ａ）、（ｂ）に示すように、ウェルユニット１にウェル２（くぼみ）が形成されている。そして、図１（ｃ）、（ｄ）に示すように、ウェル２の表面には電極３が備えられている。
【００３０】
ウェルユニット１は、熱可塑性樹脂または熱硬化性樹脂から構成される。ウェルユニット１には、試料やこの試料の種類によっては測定に必要となる培養液等の測定溶液が保持され、保持された試料の電気化学的評価を行う。よって、ウェルユニット１の材質としては、電気的な絶縁性や耐薬品性を有することが必要となる。また、ウェルユニット１の製造の観点からウェル２の成形が容易なことも重要である。よって、ウェルユニット１を構成する材質としては、上記条件を満たす熱可塑性樹脂または熱硬化性樹脂等の合成樹脂を用いればよい。
【００３１】
例えば、熱可塑性樹脂としては、ポリエチレン、ポリプロピレン、ポリ塩化ビニル、ポリスチレン、ＡＢＳ樹脂、ＡＳ樹脂、ポリメタクリル酸メチル、ポリ酢酸ビニル、ポリ塩化ビニリデン、ポリアミド、ポリアセタール、ポリカーボネート、変性ポリフェニレンエーテル、ポリブチレンテレフタレート、ポリエチレンテレフタレート、ポリフェニレンサルファイド、ポリスルホン、ポリエーテルスルホン、ポリエーテルエーテルケトン、ポリアリレート、液晶ポリマー、ポリアミドイミド、ポリエーテルイミド、ポリテトラフルオロエチレン、フッ素樹脂等が挙げられる。また、熱硬化性樹脂としては、フェノール樹脂、ユリア樹脂、メラミン樹脂、エポキシ樹脂、不飽和酸ポリエステル樹脂、全芳香族ポリエステル、フタル酸ジアリル樹脂、ポリイミド樹脂、シリコーン樹脂、ポリウレタン、シリコーンエラストマー等が例示される。これら熱可塑性樹脂及び熱硬化性樹脂は、単独若しくは組み合わせてウェルユニットを構成するとよい。また、これら熱可塑性樹脂または熱硬化性樹脂に強化材を添加することで、ウェルユニット１の強度を向上させてもよい。強化材としては、ガラス繊維、カーボン繊維、グラファイト、マイカ等が例示される。 
【００３２】
ウェル２の形状は、逆円錐形状、円筒形状、半球形状等、試料に応じた形状を適宜選択してウェルユニット１上に形成するとよい。ウェルの大きさは特に限定されるものではないが、通常用いられているウェルの大きさ（容積が数μＬ〜数ｍＬ程度）であればよく、実施例では、円錐底部直径がφ４ｍｍ、円錐高さが２ｍｍで、逆円錐形状のウェルを用いた。図１（ｂ）のように、ウェル２の形状を逆円錐形状に形成すると、哺乳動物受精卵等の試料をウェル２内に導入した際、試料がウェル２の底部（円錐の頂点）近傍に納まる。すなわち、試料を容易にウェル２内の所定の位置に保持することができる。ウェル２を逆円錐状に形成する場合、円錐の円錐角の角度には特に制限はない。ただし、円錐角が５°程度以下の逆円錐状のウェル２を形成するためには先端の細い工具が必要となる。そして、先端が細い工具を用いてウェルを形成した場合、工具の先端が欠ける場合があるため、円錐角が５°未満の逆円錐状のウェル２を用いることは実用的ではない。
【００３３】
なお、試料の保持位置がウェル２内の所定の位置であることの限定がなく、底部近傍でよい場合には、半円球状のウェル２を形成してもよい。半円球状のウェル２は、逆円錐状のウェル２のようにウェル２の底部を鋭角に形成する必要がないため切削の精度を必要とせずウェル２の形成が容易となる。さらに、試料の保持位置に限定がなく、ウェル２内に試料を保持するだけでよい場合には、底部が平面である円筒状や円柱状等のウェル２を形成してもよい。この円筒状や円柱状のウェル２は、逆円錐状や半円球状のウェル２と比較して切削の精度を必要としないので、さらにウェル２の形成が容易となる。
【００３４】
ウェル２の表面に配置される電極３は、白金、金、銀、銅、ニッケル、鉄、タングステン、パラジウム、イリジウム、チタン、ステンレス鋼、モリブデン、コバルト、アルミニウム、酸化インジウム、スズ、グラッシーカーボン（ＧＣ）、カーボンペースト（ＣＰ）等、電気化学分野で作用電極として使用される電極材料からなる電極３を適宜選択して備えればよい。ウェル２表面に電極３を配置する方法としては、例えば、上記の電極材料からなる金属線４（ＧＣの場合はロッド等）をウェルユニット１に埋め込み、この金属線４を切断するようにウェルユニット１を切削してウェル２を形成することで、ウェルユニット１に埋め込まれた金属線４の断面を電極３として用いることができる。なお、ウェル２表面に電極３を備える方法は、この方法に限定されるものではなく、ウェル２の所定の位置に精度よく電極３を備えられる方法であれば、適宜選択して用いればよい。また、電極触媒活性を評価する場合には、この電極３上に電極触媒を担持させてもよい。
【００３５】
図２に、本発明の実施形態に係るウェルユニット１の製造工程の実施例を示して、本発明の実施形態に係るウェルユニット１についてより詳細に説明する。実施例では、強化材の添加のないポリメタアクリル樹脂からなるウェルユニット１（ウェルユニット上部及びウェルユニット下部）の製造工程を例示して説明する。なお、上記の熱可塑性樹脂または熱硬化性樹脂を用いても同様に本願発明の実施形態に係るウェルユニットを製造することができた。また、ウェルユニットを構成する樹脂に上記の強化材を添加することで、ウェルユニットの強度を向上させることができた。
【００３６】
ステップＳ１、Ｓ２において、ウェルユニット上部５とウェルユニット下部６との精密切削加工を行った。ウェルユニット上部５の寸法は、縦１１ｍｍ×横１１ｍｍ×厚さ１．８６±０．０１ｍｍであり、ウェルユニット下部６の寸法は縦１０ｍｍ×横１０ｍｍ×厚さ６．１４±０．０１ｍｍであった。ステップＳ１、Ｓ２において、切削油等が微量存在しても、試料や試料の測定への影響が無視できる場合は、切削油を使用した加工を実施する。なお、切削油を使用しない加工（ドライ加工）で、ウェルユニット上部５とウェルユニット下部６とを精密切削加工すると、ウェルユニット１を製造した時、ウェル２表面に切削油等が付着せず、生体組織等の試料や測定への悪影響を低減することができる。
【００３７】
ステップＳ３において、ウェルユニット下部６を、固定装置（ジグ）に固定した（図示省略）。そして、ウェルユニット下部６のウェルユニット上部５との接続面の中央部付近に、白金線４を備えるための溝７を形成した。溝７は、白金線４が収まる程度（実施例では、幅１０μｍ×深さ１０μｍ程度）に形成した。
【００３８】
ステップＳ４において、ステップＳ３で形成されたウェルユニット下部６の溝７に白金線４を配置した。白金線４の直径は、φ１０μｍ±５μｍのものを用いた。白金線４は、真直性が維持される程度の張力で保持し、白金線４がたわまず、また破断しない状態で溝７に配置した。
【００３９】
ステップＳ５において、白金線４が配置されたウェルユニット下部６にＵＶ硬化樹樹脂８を塗布し、ＵＶ硬化樹脂８が塗布された面にウェルユニット上部５を所定の精度で備えることで、ウェルユニット上部５とウェルユニット下部６とを接合させた。ウェルユニット上部５とウェルユニット下部６との接合に用いる接合剤は、ＵＶ硬化樹脂８に限定されるものではなく、アクリル系接着剤、エポキシ系接着剤、シアノアクリレート系接着剤等を用いてもよい。接合剤は、測定対象とする試料や測定溶液と反応性を有しない接合剤を適宜選択して用いるとよい。特に、ウェルユニット１を生体組織や細胞等の試料の測定に用いる場合には、生体に優しく、生体に影響を与えない生体適合性を有する接合剤を用いるとよい。
【００４０】
なお、ステップＳ５において、ウェルユニット上部５とウェルユニット下部６間、白金線４近傍、及び溝７に気泡が混入しないように接合した。接合時に接合部位に気泡が混入すると、電気化学的測定に支障を及ぼしたり、測定結果にバラつきを生じさせたりする原因となる場合がある。例えば、ウェル２を切削加工する際に、その加工領域に気泡が存在するとウェル表面に気泡の部分が露出し、ウェル２の加工後にくぼみとして残ってしまう。このくぼみの存在により試料が気泡のくぼみに引っかかってしまい、本来静置されるべきウェル２の底部に試料を備えることができなくなるおそれがある。また、このくぼみが白金線４付近に形成された場合には、気泡により露出した白金線４表面（白金線４の側面部分）も電極として作用してしまい、電極面積のバラつきが生じるおそれがある。
【００４１】
ステップＳ６において、ウェルユニット１にＵＶ光を照射して、ＵＶ硬化樹脂８を硬化させた。ＵＶ光の光量と照射時間は、接合剤（ＵＶ硬化樹脂８）及びウェルユニット１が変性を起こさない条件を設定した。なお、ステップＳ５において、接合剤にアクリル系接着剤、エポキシ系接着剤、シアノアクリレート系接着剤等を用いた場合には、ＵＶ光の照射は行わず、所定時間経過させることで接合剤を硬化させる。
【００４２】
ステップＳ７において、ウェルユニット１をジグから取り出し、ウェルユニット上部５を貫通して、白金線４を切断するようにウェルユニット１に直径φ４ｍｍ、深さ２ｍｍ、円錐角４５°の逆円錐形状のウェル２を形成した。なお、ウェル２表面が平滑となるようにウェル２の表面の加工処理を行うと、生体組織等の試料を測定する際にウェル２表面の表面性状によって試料に傷がつくことを低減することができる。例えば、ウェル２の表面性状をＲａ（中心線平均粗さ）＝１．０μｍ以下に加工するとよい。
【００４３】
このように作成されたウェルユニット１の電極３の電気化学的性能と、従来技術に係る微小電極（直径１０μｍの白金線が封止されたガラスキャピラリー）との比較を、ＣＶ測定（ＣＶ：Ｃｙｃｌｉｃ  Ｖｏｌｔａｍｍｅｔｒｙ）により行った。ＣＶ測定の測定条件を以下に示す。
（測定条件）
試料：１０ｍｍｏｌ／Ｌのフェロシアン化カリウムを含む０．１ｍｏｌ／Ｌ塩化カリウム溶液
作用極：本発明の実施形態に係る白金電極３（直径φ１０μｍ）、従来技術に係る白金線を封入したガラス製白金微小電極（直径φ１０μｍ）
対極：白金（Ｐｔ）
参照電極：銀／塩化銀電極（Ａｇ／ＡｇＣｌ）
掃引速度：２０ｍＶ・ｓ-1
図３に、ＣＶ測定の測定結果であるサイクリックボルタモグラムを示す。図３より、本発明の実施形態に係るウェルユニット１に埋め込まれた電極３は、従来技術に係る白金線を封入したガラス製白金微小電極と同程度の定常電流が流れることがわかる。すなわち、ウェルユニット１に埋め込まれた白金線４の断面が電極３として機能している。また、図３よりウェルユニット１に備えられた白金電極３に流れる定常電流値ｉは１３．０ｎＡであるので、以下の（３）式にｉを代入して電極３の直径（２ｒ）を算出すると、電極３の直径は１０．４μｍとなった。
【００４４】
ｉ＝４ｎＦＣＤｒ  …  （３）
ｉ：定常電流［Ａ］、ｎ：移動電子数（＝１）、
Ｆ：ファラデー定数（＝９６４８５［ｃ・ｍｏｌ-1］）、
Ｃ：フェロシアンイオン濃度（＝０．０１×１０-3［ｍｏｌ／ｃｍ-3］）、
Ｄ：拡散係数（＝０．６５×１０-5［ｃｍ2・ｓ-1］）、
ｒ：電極の半径［ｃｍ］
上述のように、ウェルユニット１に埋め込んだ白金線４の直径は１０μｍであるので、電極３の直径と白金線４の直径がほぼ一致することが示された。よって、ウェルユニット１に直径φ１０μｍの金属線４を埋め込んで、ウェル２表面に電極３を形成することで、電気化学的性能的に金属線４の直径と同一径の従来技術に係る微小電極に相当する電極３をウェル２表面に備えることができる。
【００４５】
次に、本発明の実施形態に係るウェルユニット１の電極３と、従来技術に係る微小電極（直径１０μｍの白金線が封止されたガラスキャピラリー）との電気化学的特性の比較を、定電位電流測定により行った。定電位電流測定の測定条件を以下に示す。
（測定条件）
試料：ＥＲＡＭ−２（（株）機能性ペプチド研究所製）
作用極：本発明の実施形態に係る白金電極３（直径φ１０μｍ）、従来技術に係る白金線を封入したガラス製白金微小電極（直径φ１０μｍ）
対極：白金（Ｐｔ）
参照電極：銀／塩化銀電極（Ａｇ／ＡｇＣｌ）
印加電圧：−０．６Ｖ ｖｓ Ａｇ／ＡｇＣｌ
図４に示すように、本発明の実施形態に係るウェルユニット１に埋め込まれた電極３も、従来技術に係る微小電極も、電位を印加した直後、大きな電流変化が確認されるが、１分程度経過後には、変化量が小さくなり、電位の印加終了６０秒前の電流値は非常に安定していた。つまり、本発明の実施形態に係る電極３は、従来技術に係る電極とほぼ同様の挙動を示すことがわかる。
【００４６】
よって、本発明の実施形態に係るウェルユニット１は、電気化学性能的にはウェルに埋め込んだ白金線４の直径と同一径の従来技術に係る微小電極に相当する電極３をウェル表面に備えたものであることがわかる。
【００４７】
以上のように、本発明の実施形態に係るウェルユニット１は、ウェル２の所定の位置に電極３を備えることができる。すなわち、ウェルユニット上部５の厚さ、ウェルユニット下部６に形成される溝７の深さ、ウェルユニット１に形成されるウェル２の深さ及びウェル２の底部の角度（円錐の場合）等の条件を制御することで、ウェル２表面の所定の位置に電極３を備えることができる。
【００４８】
例えば、図２を例示して説明したウェルユニット１の製造工程で作成されたウェルユニット１の電極３の位置を画像測定器で確認すると、図５に示すように電極３の位置は、ウェル２の底部（円錐の頂点）から１４０±５μｍに位置していることがわかる。
また、図６に示すように、ウェル２の底部Ｐを基準とした電極３の高さと円錐角θ（実施例ではθ＝４５°）から、電極３間の距離Ｌｓ及び円錐の頂点Ｐから電極３までの距離Ｌを算出することができる。さらに、ウェル２に試料９を導入した時に、試料９の半径と円錐角θから、試料９と電極３の距離を算出することもできる。
【００４９】
また、ウェルユニット１に埋設する金属線４の径及び断面形状を制御することで、電極３の面積及び電極３の形状を制御することができる。電極３の直径は特に限定されるものではないが、直径φが、２〜５００μｍの電極をウェル表面の所定の位置に備えることができる。
【００５０】
なお、本発明の実施形態に係るウェルユニット１において、ウェルユニット１に金属線４を埋設する方法は、ウェルユニット上部５とウェルユニット下部６に金属線４を挟着して備えることに限定されるものではなく、ウェルユニットを金属線４が埋め込まれた状態でモールド成型してもよい。
【００５１】
このように、本発明の実施形態に係るウェルユニットは、金属線が埋め込まれたウェルユニットにこの金属線を切断するように切削加工して、ウェルユニット表面にウェルを形成するため、ウェル表面に電極を容易に備えることができる。ウェル表面を切削加工することで、ウェル表面に電極を備えたウェルユニットを製造することができるので、ウェルユニットを効率よく製造でき、ウェルユニットの生産性が向上する。
【００５２】
また、ウェルユニットを構成する、ウェルユニット上部、ウェルユニット下部、及びウェルを切削加工で形成すると、特殊な微細加工技術を利用する必要もなく、かつ、各作業工程で作業時間を要する特殊な製造方法を利用する必要もない。よって、寸法形状のバラツキを抑えたウェルユニットを大量生産することができ、ウェルユニットの生産性が向上する。
【００５３】
また、本発明の実施形態に係るウェルユニット１を、ポリメタアクリル樹脂等の透明性を有する樹脂で形成すると、図示省略の倒立顕微鏡または実体顕微鏡によりウェルの中に静置した試料を上または下から観測することができる。そのため、ウェルにおける試料等の位置を視認しやすくなり作業性の向上が期待できる。
【００５４】
なお、ウェルユニットに形成されるウェルは、複数形成してもよい。これにより、１つのウェルユニットで複数試料の同時測定が可能となる。そして、ウェルの半径及び深さは、実施例に限定するものではなく、試料の大きさや測定試料の量に応じて決定すればよい。また、ウェルを逆円錐形状に形成する時、円錐角θの大きさは、試料と電極の位置関係に基づいて適宜設定すればよい。
【００５５】
（ウェルユニットのリード線の取り出し例）
次に、ウェルユニット１のリード線１０の取り出し例を図７、図８を参照して説明する。図７（ａ）、（ｂ）に示すように、ウェルユニット下部６に予めねじ切り１１を形成しておき、このねじ切り１１に、例えば、φ５ｍｍの銅等の金属からなるリード線１０を嵌挿し、エポキシ樹脂等で固定する。そして、図７（ｃ）、（ｄ）に示すように、ねじ切り１１に固定されたリード線１０とウェルユニット１から出ている白金線４とを銀ペースト１２等で固定することで、ウェルユニット１からリード線１０を取り出すことができる。
【００５６】
また、図７（ａ）に示すように、ウェルユニット下部６に予めねじ切り１１を形成し、図８に示すように、液たまり溝部１４をウェルユニット下部６に形成する。液たまり部１４は、導電性接着剤１３（例えば、銀ペーストを含有する導電性接着剤）を流し込んだ時、白金電極４とリード線１０とが導電性接着剤１３に埋設されるように形成する。そして、ねじ切り１１（図示せず）にリード線１０を嵌挿し、液たまり溝部１４に導電性接着剤１３を流し込む。このように、ウェルユニット１に埋め込まれた白金線４の端部とリード線１０とが導電性接着剤１３に埋設された状態で、導電性接着剤１３を硬化させることで、白金線４とリード線１０とを結線することができる。なお、図７、図８で例示した接続方法は、白金線４とリード線１０との接続方法の一例であり、既知の接続方法により白金線４とリード線１０を結線してもよい。そして、リード線１０の太さや材質等は既知のリード線に基づいて選択して用いればよい。
【００５７】
（電気化学測定装置）
本発明の実施形態に係るウェルユニット１を備えた電気化学測定装置１５について、図９、１０を示して詳細に説明する。
【００５８】
本発明の実施形態に係る電気化学測定装置１５は、図９（ａ）に示すように、検体セル１６と、コントローラ１７と、解析・制御部１８から構成される。
【００５９】
検体セル１６には、本発明の実施形態に係るウェルユニット１が少なくとも１つ備えられている。図９（ｂ）、（ｃ）に示すように、検体セル１６は、ウェルユニット１が備えられるウェルユニット１固定用基板２３と、この基板２３上に備えられるウェルユニット１から構成される。
【００６０】
コントローラ１７は、切替器１９、電位制御部２０、電流測定部２１、電流収集部２２から構成される。切替器１９は、測定対象のウェル２…２の数に対応したチャンネル（ｃｈ）を備え、測定対象のウェル２…２の切替えを行う。つまり、各チャンネルは、各ウェル２の電極３（リード線１０）にそれぞれ接続されている。例えば、図１０に示すように、検体セル１６に６つのウェル２…２（１ｃｈ〜６ｃｈ）が備えられた場合においては、６ｃｈ同時に酸化還元電位を印加して、予め定められた一定間隔でチャンネルを切替え、各ウェル２…２に流れる電流を電流測定部２１で測定する。なお、チャンネルを切り替える時間は、適宜任意に設定可能である。例えば、受精卵呼吸量測定においては、チャンネルを切り替える間隔は、試料の応答速度から判断して、１００ｍｓｅｃでの切り替えが可能である。電位制御部２０は、ウェル２…２表面に備えられた電極３（図示省略）に印加される電位の制御を行う。電極３に印加される電位は、測定対象に応じて決定されるものであり、例えば、哺乳動物受精卵の呼吸量を測定する場合には、電位制御部２０は、酸素還元電流を測定するために、電極３の電位を、銀／塩化銀参照電極に対して−０．６Ｖとなるように制御する。電流測定部２１では、電位制御部２０が電極３の電位を制御することで電極３に流れる電流を測定する。そして、電流収集部２２が、電流測定部２１で測定された電流値に基づいて、電流データを収集する。電流測定部２１は、例えば、受精卵呼吸量測定で計測される１０ｐＡ〜１０ｎＡの微小電流を測定できるものを用いるとよい。
【００６１】
解析・制御部１８は、コントローラ１７の制御、及びコントローラ１７で検出された電流の測定値から測定対象の評価または演算を行う。例えば、酸素還元電流に基づいて、哺乳動物受精卵の呼吸量を算出したり、哺乳動物受精卵の呼吸量の指標（例えば、酸素濃度差）を算出し、哺乳動物受精卵の呼吸量を評価したりする。
【００６２】
なお、電気化学測定装置１５において、切替器１９を切り替えるタイミングは任意に設定可能である。また、コントローラ１７及び解析・制御部１８は一体に備えてもよい。
【００６３】
（電気化学的分析方法）
本発明の実施形態に係る電気化学測定装置１５に電気化学的分析方法として、哺乳動物受精卵呼吸量の測定方法を例示し、図１１を参照して説明する。
【００６４】
ステップＴ１において、本発明の実施形態に係る電気化学測定装置１５のウェル２に測定溶液（（株）機能性ペプチド研究所製ＥＲＡＭ−２）を２０μＬ加え、ウェル２表面に備えられた電極３の電極電位を銀／塩化銀参照電極に対して−０．６Ｖとなるよう電極３の電位を制御した。そして、電極３の電位を−０．６Ｖの定電位とした状態で電極３に流れる酸素還元電流を測定した。酸素還元電流の時間変化を図１１に示す。測定溶液をウェル２に導入し、電極３の電位を制御し電極３に流れる電流が安定した後、６０秒間の平均電流値をバルク電流ｉ*（ｎＡ）とした（図１１の（１）、（５））。
【００６５】
ステップＴ２において、ガラスキャピラリーを用いて、哺乳動物受精卵をウェルユニット１のウェル２に導入した（図１１の（２））。
【００６６】
ステップＴ３において、電極３を流れる酸素還元電流が安定するまで酸素還元電流を測定し、酸素還元電流が安定した後６０秒間の平均電流値を試料電流ｉとした（図１１の（３））。
【００６７】
ステップＴ４において、試料電流ｉを測定後、試料をウェル２から取り出した。そして、バルク電流ｉ*、試料電流ｉ、及び（１）、（２）式に基づいて、哺乳動物受精卵の呼吸量を測定した（例えば、非特許文献１）。
【００６８】
このように、哺乳動物受精卵（測定試料）の近傍と、バルクでの酸素還元電流を測定することにより、哺乳動物受精卵の呼吸量の測定及び評価を行うことができる。
【００６９】
（実施例）
本発明の実施形態に係る電気化学測定装置１５による電気化学的分析方法について具体的な実施例１〜３を挙げて詳細に説明する。
【００７０】
以下の実施例１〜３において、本発明の実施形態に係る電気化学測定装置１５として、図２を参照して説明した製造工程で作成されたウェルユニット１を備えた電気化学測定装置１５を用いた。すなわち、以下の実施例１〜３の説明において、本発明の実施形態に係る電気化学測定装置１５のウェル２は、直径４ｍｍ×深さ２ｍｍ、円錐角４５°の逆円錐形状であり、円錐の頂点（すなわち、ウェル２の底部）から１４０μｍ離れた位置に半径φ１０μｍの白金電極３が備えられたものである。また、従来技術に係る電気化学測定装置としては、直径４ｍｍ×深さ２ｍｍ、円錐角４５°の逆円錐形状のウェルを備え、このウェルに導入された近傍に、白金線を封入したガラス製白金微小電極（直径φ１０μｍ）を配置した電気化学測定装置を用いた。なお、本発明の実施形態に係る電気化学的分析方法で使用する電気化学測定装置はこの実施例に限定されるものではない。
【００７１】
（ａ）実施例１：ヒト乳ガン細胞スフェロイド（ＭＣＦ−７）の呼吸量測定
本発明の実施形態に係る電気化学測定装置１５による、ヒト乳ガン細胞スフェロイド（ＭＣＦ−７）の呼吸量測定方法について、図１２を参照して説明する。
【００７２】
ウェル２に測定溶液（（株）機能性ペプチド研究所製ＥＲＡＭ−２）を２０μＬ加え、ウェル２表面に備えられた電極３の電極電位を銀／塩化銀参照電極に対して−０．６Ｖとなるよう電極３の電位を制御した。そして、電極３の電位を−０．６Ｖの定電位とした状態で電極３を流れる酸素還元電流を測定した。電極３を流れる酸素還元電流の時間変化を図１２（ａ）に示す。図１２（ａ）に示すように、電流が安定した後、ガラスキャピラリーを用いてウェル２にＭＣＦ−７を導入し、酸素還元電流の変化を測定した。ＭＣＦ−７を導入する前の酸素還元電流の測定値と、ＭＣＦ−７を導入後測定電流が安定した時の酸素還元電流の電流値から（１）式に基づいて、ＭＣＦ−７の酸素呼吸量の指標となるΔＣ（バルクとＭＣＦ−７近傍の酸素濃度差）を算出した。酸素濃度差（ΔＣ）は、１８．０５μｍｏｌ／Ｌであった。また、図１２（ｂ）に、ウェル２に導入されたＭＣＦ−７の倒立顕微鏡写真を示す。倒立顕微鏡写真よりＭＣＦ−７の半径を測定すると、ＭＣＦ−７の半径は１１９．１μｍであった。
【００７３】
同様に、従来技術に係る電気化学測定装置により、ＭＣＦ−７をウェルに導入し、銀／塩化銀参照電極に対して−０．６Ｖとなるように電位を制御した白金微小電極２４をステッピングモータにより自動で上下させ、ＭＣＦ−７近傍の酸素濃度勾配、つまりＭＣＦ−７近傍の酸素還元電流ｉ（ｎＡ）とバルクの酸素還元電流ｉ*（ｎＡ）を測定した。測定結果を図１２（ｃ）に示す。従来技術に係る電気化学測定装置により測定された酸素濃度差（ΔＣ）は、１９．３８μｍｏｌ／Ｌであった。
【００７４】
以上より、本発明に係る電気化学測定装置１５は、従来技術に係る電気化学測定装置と同様の測定精度を有することがわかる。
【００７５】
次に、本発明の実施形態に係る電気化学測定装置１５と、従来技術に係る電気化学測定装置で、異なる大きさのＭＣＦ−７の酸素濃度差（ΔＣ）を算出した。
【００７６】
図１３に示すように、本発明の実施形態に係る電気化学測定装置１５と、従来技術に係る電気化学測定装置による酸素濃度差（ΔＣ）の測定結果は、良好な相関があることがわかる。よって、本発明の実施形態に係る電気化学的分析方法によって、ＭＣＦ−７の呼吸量を評価できることがわかる。
【００７７】
（ｂ）実施例２：ウシ体外受精卵の呼吸量測定（方法１）
本発明の実施形態に係る電気化学測定装置１５による、ウシ体外受精卵の呼吸量測定方法について、図１４を参照して説明する。方法１のウシ体外受精卵の呼吸量測定方法は、（ａ）の方法と同様に、測定溶液を保持したウェルの電極電位を一定に保ち、バルクの酸素還元電流を測定した後に、電極電位を一定に保った状態で測定試料をウェルに導入して測定試料近傍の酸素還元電流を測定するものである。
【００７８】
ウェル２に測定溶液（（株）機能性ペプチド研究所製ＥＲＡＭ−２）を２０μＬ加え、ウェル２表面に備えられた電極３の電極電位を銀／塩化銀参照電極に対して−０．６Ｖとなるよう電極３の電位を制御した。図１４に示すように、ガラスキャピラリーを用いてウェル２にウシ体外受精卵を導入し、酸素還元電流が安定したところで酸素還元電流を測定し、ウシ体外受精卵近傍の酸素還元電流の測定電流値とした。そして、ウェル２からウシ体外受精卵を取り出し、取り出した後の酸素還元電流が安定した値をバルク電流として測定した。この、ウシ体外受精卵近傍の酸素還元電流の測定値と、バルクの酸素還元電流の測定値から（１）式に基づいて、ウシ体外受精卵の酸素呼吸量の指標となるΔＣ（バルクとウシ体外受精卵近傍の酸素濃度差）を算出した。酸素濃度差（ΔＣ）は、８．３μｍｏｌ／Ｌであった。また、ウェル２に導入されたウシ体外受精卵の倒立顕微鏡写真から算出されるウシ体外受精卵の半径（胚盤胞）は９６．８μｍであった。
【００７９】
同様に、従来技術に係る電気化学測定装置で、ウシ体外受精卵をウェルに導入し、ウシ体外受精卵近傍の酸素還元電流と、バルクの酸素還元電流を白金微小電極２４により測定した。従来技術に係る電気化学測定装置により測定されたバルクとウシ体外受精卵近傍の酸素濃度差（ΔＣ）は、１３．６μｍｏｌ／Ｌであった。
【００８０】
本発明の実施形態に係る電気化学測定装置１５での酸素濃度差（ΔＣ）の測定結果は、従来技術に係る電気化学測定装置による酸素濃度差（ΔＣ）の測定結果よりやや低い値である。しかしながら、本発明の実施形態に係る電気化学測定装置１５と従来技術に係る電気化学測定装置で、異なる大きさのウシ体外受精卵の酸素濃度差（ΔＣ）を算出すると、実施例１の図１３で示したような良好な相関関係が得られた。よって、本発明の実施形態に係る電気化学的分析方法により、ウシ体外受精卵の酸素呼吸量を評価できることがわかる。
【００８１】
（ｃ）実施例３：ウシ体外受精卵の呼吸量測定（方法２）
本発明の実施形態に係る電気化学測定装置１５による、ウシ体外受精卵の呼吸量測定方法について、図１５を参照して説明する。方法２のウシ体外受精卵の呼吸量測定方法は、測定溶液を保持したウェルに測定試料を導入後に電極電位を一定の電位に保つことで測定試料近傍の酸素還元電流を測定する。そして、電極を一定の電位に保った状態で測定試料をウェルから取り除きバルクでの酸素還元電流を測定するものである。
【００８２】
本発明の実施形態に係る電気化学測定装置１５のウェル２に測定溶液（（株）機能性ペプチド研究所製ＥＲＡＭ−２）を２０μＬ加え、さらに、このウェル２にウシ体外受精卵を導入した。そして、ウェル２にウシ体外受精卵を導入後、ウェル２表面に備えられた電極３の電極電位を銀／塩化銀参照電極に対して−０．６Ｖとなるよう電極３の電位を制御した。図１５に示すように、電流が安定した後の電流値をウシ体外受精卵近傍の酸素還元電流として測定し、ウシ体外受精卵をウェル２から取り出した。ウシ体外受精卵を取り出した後の酸素還元電流が安定した時の電流値をバルクでの酸素還元電流の電流値とした。そして、ウシ体外受精卵近傍の酸素還元電流の測定値とバルクでの酸素還元電流の測定値から（１）式に基づいて、ウシ体外受精卵の呼吸量の指標となるΔＣ（バルクとウシ体外受精卵近傍の酸素濃度差）を算出した。酸素濃度差（ΔＣ）は、１３．６μｍｏｌ／Ｌであった。
【００８３】
同様に、従来技術に係る電気化学測定装置で、ウシ体外受精卵をウェルに導入し、ウシ体外受精卵近傍の酸素還元電流と、バルクの酸素還元電流を白金微小電極２４により測定した。従来技術に係る電気化学測定装置により測定されたバルクとウシ体外受精卵近傍の酸素濃度差（ΔＣ）は、１３．６μｍｏｌ／Ｌであった。
【００８４】
本発明の実施形態に係る電気化学測定装置１５での酸素濃度差（ΔＣ）の測定結果は、従来技術に係る電気化学測定装置による酸素濃度差（ΔＣ）の測定結果と同じ値を示した。さらに、本発明の実施形態に係る電気化学測定装置１５と従来技術に係る電気化学測定装置で、電位をステップさせる方法で、異なる大きさのウシ体外受精卵の酸素濃度差（ΔＣ）を算出すると、実施例１の図１３で示したような良好な相関関係が得られた。よって、本発明の実施形態に係る電気化学的分析方法によって、ウシ体外受精卵の呼吸量を評価することができた。
【００８５】
以上実施例１〜３を示して説明したように、本発明の実施形態に係る電気化学的分析方法によれば、微小生体組織の電気化学的特性把握及び電気化学的測定を行うことができる。そして、ウェルに予め電極が備えられているので、ウェルに試料を導入するだけで、微小試料の電気化学測定を行うことができる。よって、試料の電気化学的特性の把握または電気化学的測定を簡便に行うことができる。
【００８６】
つまり、従来のように、微細電極を試料の近傍に配置するような煩雑で高度な技術を要せず、かつ、作業性良く哺乳動物受精卵等の試料を計測できる。
【００８７】
実施例では、ウェルに導入された試料（測定溶液）の溶存酸素還元電位を測定した例を示したが、測定対象となる酸化還元反応は溶存酸素の還元反応に限定されるものではなく、本発明に係るウェルユニットを用いて、種々の測定対象（例えば、図３に示すようなフェロシアンイオン）の電気化学的挙動を測定することができる。例えば、高価な試料の電気化学的挙動を研究する場合には、電気化学的特性を把握するために必要な試料が極微量な場合がある。本発明に係るウェルユニットは、ウェルに予め電極面積が既定の電極が備えられているので、極微量の試料をウェルに保持するだけで、ウェルに保持された試料の電気化学的挙動の分析及びウェルに備えられた電極の触媒活性の評価を容易に行うことができる。
【００８８】
以上のように、本発明の電気化学的分析方法は、畜産分野・生殖医療分野・微小組織移植分野等で、哺乳動物受精卵やスフェロイド等の微小生体組織の電気化学的特性把握を目的とした電気化学的分析を行うことができる。特に、本発明の電気化学的分析方法は、哺乳動物受精卵等の生体組織の評価を電気化学的な数値に基づいて評価することができるので、生体組織の客観的な評価を行うことができる。また、材料開発等の電気化学研究分野においは、数μＬから数百μＬの極少量の有機合成生成物やイオン液体等の試料の電気化学的分析、及び電極触媒活性の評価を容易に行うことができる。
【符号の説明】
【００８９】
１…ウェルユニット
２…ウェル
３…電極（白金電極）
４…金属線（白金線）
５…ウェルユニット上部
６…ウェルユニット下部
９…試料
１０…リード線
１５…電気化学測定装置
１６…検体セル
２０…電位制御部（電位制御手段）
２１…電流測定部（電流測定手段）
２３…基板
【図２】
0005577498.tif 000002
【図３】
0005577498.tif 000003
【図４】
0005577498.tif 000004
【図５】
0005577498.tif 000005
【図６】
0005577498.tif 000006
【図８】
0005577498.tif 000007
【図９】
0005577498.tif 000008
【図１０】
0005577498.tif 000009
【図１１】
0005577498.tif 000010
【図１３】
0005577498.tif 000011
【図１４】
0005577498.tif 000012
【図１５】
0005577498.tif 000013
【図１】
0005577498.tif 000014
【図７】
0005577498.tif 000015
【図１２】
0005577498.tif 000016
【図１６】
0005577498.tif 000017